(57)【要約】      （修正有）【課題】特に複雑な構造を有することなく簡単に設置でき、高温室内の所望する箇所を室外から長期にわたって安定して観測できる高温室内観測装置を提供する。【解決手段】例えば電気集塵機９０の室内９０Ａを観測する場合には、観測口９６を開成してから、高温室内観測装置１０を観測ボックス１２側から室内へ挿入すると、室内と室外９０Ｂの圧力差により観測口に遮蔽蓋１８を接触させた状態で設置される。そして、室外の操作盤１８及びカメラコントローラ２１を操作することにより、ライトで照らし出された室内をＣＣＤカメラで撮影してモニタ２０で表示させる。このとき、窓部材を開成させると、負圧によって開口部から流れ込んだ外気が観測装置本体内を冷却して観測ボックスへ供給される。【選択図】      図４
2005331207.tif 000002
【特許請求の範囲】
【請求項１】
負圧に維持された高温室の室内を室外から観測する高温室内観測装置において、
前記高温室の壁面に形成された観測口に対してその先端部を先頭にして挿入されるとともにその基端部によって該観測口を遮蔽して、該基端部の一部が開口する筒状の観測装置本体と、
前記観測装置本体の先端部に設けられ、前記高温室の室内を照明する照明手段、該照明手段によって照明された前記高温室の室内を撮像する撮像手段を備えた観測部と、
前記観測装置本体に設けられ、前記観測部を上下左右方向に移動自在に支持する支持部と、
前記高温室の室外に設けられ、前記観測部を上下左右方向に操作する操作部と、
前記観測装置本体に配設され、前記操作部の操作力を前記支持部に伝達する動力伝達部と、
前記高温室の室外に設けられ、前記撮像手段によって撮像された画像を表示する表示手段とを備え、
前記高温室外の外気を前記観測装置本体の基端部から内部空洞部を介して前記観測部に供給することにより前記観測部を冷却することを特徴とする高温室内観測装置。
【請求項２】
前記観測装置本体の基端部には、該観測装置本体の基端開口部の開度を調節可能な窓部材が設けられていることを特徴とする請求項１に記載の高温室内観測装置。
【請求項３】
前記観測部及び支持部は、前記観測装置本体に接続された可撓性フードによって覆われていることを特徴とする請求項１又は２に記載の高温室内観測装置。
【請求項４】
前記観測装置本体は、該観測装置本体の長さを調節可能な長さ調節構造で構成されていることを特徴とする請求項１〜３のうち何れか１つに記載の高温室内観測装置。
【請求項５】
前記長さ調節構造は、前記観測装置本体が複数の分割部材から構成され、該分割部材の連結台数を選択することにより、前記観測装置本体の長さが調節可能であることを特徴とする請求項４に記載の高温室内観測装置。
【請求項６】
前記観測部は、前記撮像手段及び照明手段に付着した汚れを除去する清掃手段を有することを特徴とする請求項１〜５のうち何れか１つに記載の高温室内観測装置。
【請求項７】
前記清掃手段として、前記観測装置本体を介して供給された外気を前記撮像手段及び照明手段のレンズ面に吹付けてから排気する掃気経路を形成させることを特徴とする請求項６に記載の高温室内観測装置。
【請求項８】
前記清掃手段として、前記撮像手段及び照明手段のレンズ面を拭き取るワイパを設けたことを特徴とする請求項６に記載の高温室内観測装置。
【発明の詳細な説明】
【技術分野】
【０００１】
本発明は高温室内観測装置に係り、特に電気集塵機など最高温度が１５０°Ｃ程度の高温雰囲気に維持され、かつ負圧に調整された高温室の室内を室外から観測する高温室内観測装置に関する。
【背景技術】
【０００２】
従来、廃棄物などを焼却処理する際に、焼却処理で発生した排気ガス中に飛散する焼却灰などの塵埃を除去してから大気中へ排気する集塵機が設けられ、電気的に集塵を行なう電気集塵機が多く採用される。電気集塵機において、高い集塵能力を維持するためには室内に設置された放電極板や集塵極板などの設備の点検を定期的に行なう必要がある。
【０００３】
しかしながら、電気集塵機は高温の排気ガスが流入するため、室内は最高温度が１５０°Ｃ程度の高温雰囲気で保たれている。したがって、従来における電気集塵機の定期的な点検は、前工程の運転を停止させるとともに室内の温度を低下させてから、入室して室内を目視する方法が一般的に行なわれてきた。
【０００４】
また、電気集塵機の外壁であるケーシングの上面や側面に観測を行なうための観測口を設けて、開閉可能な扉や耐熱ガラスを備えた窓を各観測口に設置して外側から目視して観測する方法も採用されている。
【０００５】
さらに、特許文献１のように、電気集塵機に設けられた各観測口に、先端に集光部を備え、かつ後端に検出器を備えたチューブ状の監視装置を挿入し、室内を外側から観測する方法などが提案されている。
【特許文献１】特開平６−２０１２６８号公報
【発明の開示】
【発明が解決しようとする課題】
【０００６】
しかしながら、扉を用いて内部状況を観測する方法では、観測時に扉を開放しなければならないため、作業者の安全上問題があった。また、耐熱ガラスの窓を用いて観測する方法では、窓の内面側へ塵埃などが付着して内部状況の観測が困難になるため、窓の内面側を定期的に清掃しなければならないという問題があった。
【０００７】
特許文献１では上述した問題を解消できるが、設置した箇所の定点観測しか行なうことができないため、観測できる範囲に制限が生じるという欠点があった。その上、電気集塵機の室内よりも高温でも耐え得る構造にするため、多数の部材及び装置で複雑に構成されているので、コストや作業性に問題があった。
【０００８】
本発明はこのような事情に鑑みてなされたもので、特に複雑な構造を有することなく簡単に設置することができるとともに、高温室の室内の所望する箇所を室外から長期にわたって安定して観測することができる高温室内観測装置を提供することを目的とする。
【課題を解決するための手段】
【０００９】
請求項１に記載の発明は前記目的を達成するために、負圧に維持された高温室の室内を室外から観測する高温室内観測装置において、前記高温室の壁面に形成された観測口に対してその先端部を先頭にして挿入されるとともにその基端部によって該観測口を遮蔽して、該基端部の一部が開口する筒状の観測装置本体と、前記観測装置本体の先端部に設けられ、前記高温室の室内を照明する照明手段、該照明手段によって照明された前記高温室の室内を撮像する撮像手段を備えた観測部と、前記観測装置本体に設けられ、前記観測部を上下左右方向に移動自在に支持する支持部と、前記高温室の室外に設けられ、前記観測部を上下左右方向に操作する操作部と、前記観測装置本体に配設され、前記操作部の操作力を前記支持部に伝達する動力伝達部と、前記高温室の室外に設けられ、前記撮像手段によって撮像された画像を表示する表示手段とを備え、前記高温室外の外気を前記観測装置本体の基端部から内部空洞部を介して前記観測部に供給することにより前記観測部を冷却することを特徴とする。
【００１０】
本発明によれば、電気集塵機など負圧に維持された高温室の室内を観測する場合、高温室の外壁に設けられた観測口に観測装置本体の先端部から挿入すると、観測装置本体の基端部が室内外の圧力差によって観測口に密着するため、観測口が遮蔽された状態で設置される。これにより、室内の高温雰囲気に影響させずに観測を行なうことができるとともに、観測装置本体を安定した状態に設置することができる。
【００１１】
次に、室外に設けられた表示手段で確認しながら操作手段を操作すると、その操作が動力伝達部によって動力として支持部に伝達されて、支持部を介して観測部を上下左右方向に移動させることができる。したがって、室外から操作により室内の観測部を所望する観測箇所の方向に移動させて、観測部の撮像手段及び照明手段によって室内を照らし出して撮像し、撮像された画像を観測部と接続する表示手段で室外から確認することができる。これにより、高温雰囲気である室内の所望する箇所を室外から容易かつ確実に観測することができる。
【００１２】
このとき、観測部は高温雰囲気下に設置されているため、その熱によって観測部の撮像手段や照明手段が損傷する可能性がある。本発明の高温室内観測装置は、観測装置本体の内部が空洞の構造を有しているとともに、基端部が開口している。したがって、高温室内観測装置を高温室の観測口に設置すると、高温室の室内が負圧に維持されているため、室内外の圧力差により外気が観測装置本体の基端部から流入し、観測装置本体の内部空洞部を介して観測部へと供給される。したがって、供給された外気によって高温雰囲気下にある観測部を冷却することができるので、熱によって観測部が損傷することを防止することができる。また、耐熱性を有しない撮像手段及び照明手段を本発明の高温室内観測装置に採用することができる上、観測部に対する外気の供給のために動力を必要としないので、高温室内観測装置に要するコストを大幅に低減することができる。
【００１３】
なお、観測装置本体の基端部には、該観測装置本体の基端開口部の開度を調節可能な窓部材が設けられていることが好ましい。これにより、窓部材で流入する外気の量を調整することができるので、効率のよい冷却を行なうことができる。
【００１４】
また、観測部及び支持部は、前記観測装置本体に接続された可撓性フードによって覆われていることが好ましい。これにより、支持部による観測部の移動に支障をきたすことなく、外気を観測部及び支持部へ効率よく供給させて冷却することができる。
【００１５】
請求項４に記載の発明は、請求項１〜３のうち何れか１つに記載の観測装置本体は、該観測装置本体の長さを調節可能な長さ調節構造で構成されていることを特徴とする。これにより、観測口から観測部までの距離を自由に調整することができるので、より広い範囲で室内を観測することができる。
【００１６】
請求項５に記載の発明は、請求項４に記載の長さ調節構造は、前記観測装置本体が複数の分割部材から構成され、該分割部材の連結台数を選択することにより、前記観測装置本体の長さが調節可能であることを特徴とする。
【００１７】
請求項５によれば、観測装置本体を構成する分割部材の連結台数を変更するだけで、観測装置本体の長さを任意の長さに調整することができるので、観測口から観測部までの距離を所望する長さに簡単に調整できる。
【００１８】
請求項６に記載の発明は、請求項１〜５のうち何れか１つに記載の観測部は、前記撮像手段及び照明手段に付着した汚れを除去する清掃手段を有することを特徴とする。
【００１９】
請求項６によれば、室内の観測を長時間行なうと、室内を浮遊する塵埃などが観測部の撮像手段及び照明手段に付着して汚れてしまうため、室内を撮像した画像が乱れてしまう。そこで、観測部に清掃機構を設けて撮像手段及び照明手段に付着した汚れを除去することにより、長期間にわたって室内の観測を行なっても安定した画像で室内を観測することができる。
【００２０】
請求項７に記載の発明は、請求項６に記載の清掃手段として、前記観測装置本体を介して供給された外気を前記撮像手段及び照明手段のレンズ面に吹付けてから排気する掃気経路を形成させることを特徴とする。
【００２１】
請求項７によれば、清掃手段として掃気経路を設けることにより、冷却用に供給された外気の流れを利用してレンズ面に付着する塵埃等の汚れを常に吹き飛ばすことができるので、多くの設備コストを要することなく安定した室内の撮像を行なうことができる。
【００２２】
請求項８に記載の発明は、請求項６に記載の清掃手段として、前記撮像手段及び照明手段のレンズ面を拭き取るワイパを設けたことを特徴とする。これにより、レンズ面に付着した塵埃などの汚れをワイパで拭き取ることができるので、長期間にわたって安定した室内の撮像を行なうことができる。
【発明の効果】
【００２３】
以上説明したように本発明に係る高温室内観測装置によれば、室内外の差圧により流入した外気によって冷却及び掃気を行ないながら、撮像手段及び照明手段を上下左右方向に操作して室内を撮像することができるので、高温雰囲気に維持された室内を長時間にわたって安定して室外から観測することができる。
【発明を実施するための最良の形態】
【００２４】
以下添付図面に従って本発明に係る高温室内観測装置の好ましい実施の形態について詳説する。
【００２５】
図１は、本発明の実施の形態である高温室内観測装置１０の構成を示した斜視図である。
【００２６】
同図の如く、高温室内観測装置１０は、観測部である観測ボックス１２と、観測装置本体１４と、基端部である遮蔽蓋１６と、操作手段である操作盤１８と、表示手段であるモニタ２０と、から構成される。
【００２７】
観測ボックス１２は、撮像手段であるＣＣＤカメラ２２と照明手段である２つのライト２４，２４とを備え、耐熱性を有するカバーで覆われて形成される。また、ＣＣＤカメラ２２及びライト２４，２４は、清掃手段であるワイパ２５，２５…を備えており、このワイパ２５，２５…によりＣＣＤカメラ２２及びライト２４，２４のレンズ面に付着した汚れが定期的に拭き取られる。
【００２８】
観測装置本体１４は矩形筒状の部材であり、耐熱性を有する材質で構成されることが好ましく、例えばＳＵＳ等が使用される。観測装置本体１４は、分割部材である前部観測装置本体１４ａと後部観測装置本体１４ｂとが長手方向に分割可能に連結されて構成される。前部及び後部観測装置本体１４ａ，１４ｂには、それぞれ上下方向に回動自在な上下方向回転軸２６，２６と、左右方向に回動自在な左右方向回転軸２８，２８とが内蔵されている。各回転軸２６，２８は、外側及び内側に外側ギア３０ａ，３０ａ…及び内側ギア３０ｂ，３０ｂ…が配置されている。
【００２９】
観測ボックス１２と観測装置本体１４との間には、支持部３２が設けられる。支持部３２は、内側ギア３０ｂを備えた上下方向回転軸２６により観測ボックス１２と連結されるとともに、内側ギア３０ｂを備えた左右方向回転軸２８で前部観測装置本体１４ａと連結される。これにより、観測ボックス１２は、白色及び黒色矢印で示した上下左右方向に移動自在に観測装置本体１４に連結される。
【００３０】
遮蔽蓋１６は、後部観測装置本体１４ｂの基端部に配置された板状の部材であり、観測を行なう観測口よりも広い面積で形成される。遮蔽蓋１６の内側面は、ゴムなどの緩衝材で構成されることが好ましい。また、遮蔽蓋１６の外側面には、観測ボックス１２の挿入及び抜き取りを容易に行なうための２つの把手３４，３４が設けられている。
【００３１】
操作盤１８は、遮蔽蓋１６の外側表面に固定して設置され、上部に左右操作レバー３６が設置されるとともに、側面に上下操作レバー３８が設置される。左右操作レバー３６は、操作盤１８内部に設置された内側ギア３０ｂを付属する左右方向回転軸２８と連結している。また、上下操作レバー３８は、操作盤１８内部に設置された内側ギア３０ｂを付属する上下方向回転軸２６と連結している。
【００３２】
高温室内観測装置１０において、左右操作レバー３６と連結する内側ギア３０ｂと、後部観測装置本体１４ｂに設置された左右方向回転軸２８の内側ギア３０ｂとに、チェーン４０が懸け渡されている。また、後部観測装置本体１４ｂに設置された左右方向回転軸２８の外側ギア３０ａと前部観測装置本体１４ａに設置された左右方向回転軸２８の外側ギア３０ａとに、チェーン４０が懸け渡されている。さらに、前部観測装置本体１４ａに設置された左右方向回転軸２８の内側ギア３０ｂと支持部３２を連結する左右方向回転軸２８の内側ギア３０ｂとに、チェーン４０が懸け渡されている。これにより、左右操作レバー３６の操作で観測ボックス１２を支持部３２を介して黒色矢印で示した左右方向に動かす動力伝達手段が形成される。
【００３３】
一方、高温室内観測装置１０において、上下操作レバー３８に連結する内側ギア３０ｂと、後部観測装置本体１４ｂに設置された上下方向回転軸２６の内側ギア３０ｂとに、チェーン４０が懸け渡されている。また、後部観測装置本体１４ｂに設置された上下方向回転軸２６の外側ギア３０ａと、前部観測装置本体１４ａに設置された上下方向回転軸２６の外側ギア３０ａとに、チェーン４０が懸け渡されている。さらに、前部観測装置本体１４ａに設置された上下方向回転軸２６の内側ギア３０ｂと、支持部３２を連結する上下方向回転軸２６の内側ギア３０ｂとに、チェーン４０が懸け渡されている。これにより、上下操作レバー３８の操作で観測ボックス１２を支持部３２を介して黒色矢印で示した上下方向に動かす動力伝達手段が形成される。
【００３４】
また、操作盤１８には、ＣＣＤカメラ２２及びライト２４と、外部に設置されたモニタ２０とを接続するケーブル４２が貫通した状態で設置されており、ＣＣＤカメラ２２で撮像された画像がケーブル４２を介してモニタ２０に表示される。モニタ２０には、操作手段の一つとしてカメラコントローラ２１が設けられる。カメラコントローラ２１を操作することにより、撮像時における望遠や焦点の調整、照明の強弱などＣＣＤカメラ２２及びライト２４，２４の動作を操作することができる。
【００３５】
図２は、本発明の実施の形態である高温室内観測装置１０の操作盤１８を外側方向から見た正面図である。
【００３６】
操作盤１８の中央には、開口部４４が形成されており、開口部４４の上面には上下方向にスライド自在な窓部材４６が設置されている。したがって、窓部材４６を上下にスライドさせるとともに付属する各コック４８，４８で固定することにより、窓部材４６の開閉度が調整される。
【００３７】
また、図１で示すように、高温室内観測装置１０は、観測ボックス１２から遮蔽蓋１６まで可撓性フード５０で覆われている。可撓性フード５０は、耐熱性を有するとともに可撓性であるフード状の部材で構成され、例えば耐熱性を有する布や蛇腹が使用される。
【００３８】
図３は、本発明の実施の形態である高温室内観測装置１０の一部を拡大した側面から見た断面図である。
【００３９】
可撓性フード５０の開口部５０ａは、観測ボックス１２側の先端がＣＣＤカメラ２２及びライト２４，２４のレンズ面に向かって収縮する形状を有す掃気手段が形成される。
【００４０】
次に、上記の如く構成される本発明の実施の形態である高温室内観測装置１０の作用について説明する。
【００４１】
図４は、本発明の実施の形態である高温室内観測装置１０を用いて電気集塵機９０の室内を観測する作業を説明する説明図であり、電気集塵機９０のケーシング９２の一部を切り取って示している。なお、図４（Ａ）は電気集塵機９０の上部から観測を行なう場合を示しており、図４（Ｂ）は電気集塵機９０の排気口９４下部から観測する場合を示している。
【００４２】
図４に示すように電気集塵機９０の室内９０Ａを観測する場合には、観測する地点に近い観測口９６を開成してから、遮蔽蓋１６の把手３４，３４を持って高温室内観測装置１０を観測ボックス１２側から室内９０Ａへ挿入し、観測口９６に遮蔽蓋１６を接触させた状態で設置する。運転中の電気集塵機９０は、室内９０Ａを負圧に維持することにより、高温雰囲気に維持されるとともに、室内９０Ａに浮遊する塵埃を室外９０Ｂへ流出させることを防止している。したがって、室内９０Ａと室外９０Ｂとの間に圧力差が生じて、その圧力差により遮蔽蓋１６を観測口９６に密着させて遮蔽することができる。これにより、観測時に室内９０Ａの温度を低下させることを防止できるとともに、高温室内観測装置１０を安定した状態で設置することができる。
【００４３】
こうして設置された高温室内観測装置１０のＣＣＤカメラ２２及びライト２４，２４をカメラコントローラ２１の操作により作動させると、ライト２４，２４で照らし出された電気集塵機９０の室内９０Ａにおける集塵板９８，９８…や放電枠１００，１００…の設置状況などをＣＣＤカメラ２２で撮像し、撮像された画像を室外９０Ｂに設置されたモニタ２０で表示させることができるので、高温雰囲気の室内９０Ａを室外９０Ｂから観測することができる。
【００４４】
また、操作盤１８の上下操作レバー３８及び左右操作レバー３６を操作することにより、ＣＣＤカメラ２２及びライト２４，２４の角度を上下左右に動かすことができる。これにより、観測口９６の周囲の室内９０Ａを広範囲に観測することができる。また、比較的狭い空間で形成される集塵板９８，９８…及び放電枠１００，１００…の間を様々な角度から撮像することができるので、より正確な観測を行なうことができる。
【００４５】
高温室内観測装置１０を設置して電気集塵機９０の観測を長時間行なうと、観測ボックス１２及び観測装置本体１４は室内９０Ａに挿入された状態であるため、室内９０Ａの高温雰囲気により加熱されてしまう。そこで、操作盤１８に設けられた窓部材４６を開成させることにより、室内９０Ａと室外９０Ｂとの圧力差によって外気が開口部４４へ流れ込み、観測装置本体１４の内部を通過して観測装置本体１４を冷却してから、可撓性フード５０を介して観測ボックス１２へ供給されるようにした。
【００４６】
図５は、本発明の実施の形態である高温室内観測装置１０における冷却効果を調査したグラフであり、点線で示したグラフは窓部材４６を閉成したときの観測ボックス１２の各箇所における温度変化を示しており、実線で示したグラフは窓部材４６を開成したときの観測ボックス１２の各箇所における温度変化を示している。なお、●はＣＣＤカメラ２２上部横の温度を示し、▲は観測ボックス１２内の温度を示し、■はライト２４の裏面の温度を示している。
【００４７】
図５のグラフを見ると、窓部材４６を閉成している状態では、観測ボックス１２、ＣＣＤカメラ２２、及びライト２４の温度が時間とともに上昇し、５分以内に一般的なＣＣＤカメラ２２の耐熱性の限界温度である４０°Ｃを超えた。一方、窓部材４６を開成している状態では、時間における各温度の変化が見られず、観測ボックス１２の内部及びＣＣＤカメラ２２を外気温とほぼ同じ温度に維持することができた。したがって、観測ボックス１２内のＣＣＤカメラ２２及びライト２４，２４を外気によって効果的に冷却することができるので、観測装置本体１４の各部材や装置、ＣＣＤカメラ２２、ライト２４，２４など室内９０Ａに挿入された装置及び部材が室内９０Ａの熱によって損傷することを防止できる。また、冷却のための動力源を必要とせずに簡易な構造で効果的な冷却を行なうことができるとともに、耐熱性を有する高価なＣＣＤカメラ２２やライト２４，２４を使用しなくてすむため、高温室内観測装置１０に要するコストを低減することができる。
【００４８】
また、高温室内観測装置１０を設置して室内の観測を長時間行なうと、室内に浮遊する塵埃などが外面に露出しているＣＣＤカメラ２２及びライト２４，２４のレンズ面に付着する可能性がある。このようにＣＣＤカメラ２２やライト２４，２４のレンズ面が汚れて曇ってしまうと、室内９０Ａを鮮明な画像で撮像することが困難となるため、室内９０Ａを室外９０Ｂのモニタ２０から正確に観測することができなくなる。
【００４９】
そこで、本発明の高温室内観測装置１０では、図３に示すように可撓性フード５０の開口部をＣＣＤカメラ２２及びライト２４，２４のレンズ面に対して収縮する形状に形成させるようにした。したがって、図３の黒色矢印で示すように、室内９０Ａと室外９０Ｂの圧力差により開口部４４から取り込まれ、観測装置本体１４の内部を通過した外気は、ＣＣＤカメラ２２及びライト２４，２４のレンズ面に吹付けられてから室内９０Ａへと排気される。この外気の吹付けを常に行なうことにより、室内９０Ａを浮遊する塵埃などが各レンズ面に付着することを防止できるので、各レンズ面の汚れによって生じる画像の乱れを防止することができる。このように、圧力差によって取り込まれた外気の流れを利用してレンズ面の汚れを防止するため、レンズ面の清掃に多くのコストや複雑な構造を要することなく、長時間の安定した観測を行なうことができる。
【００５０】
さらに、高温室内観測装置１０の観測装置本体１４は、図６（Ａ）に示すように、前部観測装置本体１４ａと、後部観測装置本体１４ｂとに分離可能な構造を有している。したがって、外側ギア３０ａ，３０ａ…及び内側ギア３０ｂ，３０ｂ…に懸けられた各チェーン４０，４０…を取り外してから前部及び後部観測装置本体１４ａ，１４ｂを分離する。次に、前部及び後部観測装置１４ａ，１４ｂの間に同形状の分割部材５０を連結し、外側ギア３０ａ，３０ａ…及び内側ギア３０ｂ，３０ｂ…に各チェーン４０，４０…を懸けると、図６（Ｂ）に示した高温室内観測装置１０のように、観測ボックス１２を上下左右方向に移動可能な状態で長手方向の長さを延長することができる。また、様々な長さの分割部材５２，５２…を用意して、状況に応じて連結する分割部材５２を変更可能にすれば、１箇所の観測口９６から電気集塵機９０の室内９０Ａの状況をさらに広範囲に観測することができる。
【００５１】
なお、上述した高温室内観測装置１０において、使用される各部材及び装置の個数、形状、及び材質などは特に限定するものではない。
【００５２】
高温室内観測装置１０を使用する状況として、電気集塵機の室内の観測を例で説明したが、特に限定するものではない。最高温度が１５０°Ｃ程度の高温雰囲気であり、かつ負圧で維持されている高温室であれば、本発明の高温室内観測装置１０を好適に使用することができる。
【００５３】
また、電気集塵機９０で観測を行なう際に、予め観測口９６，９６…が設けられた例で説明したが、特に限定するものではない。電気集塵機９０に観測口９６，９６…が存在しない場合には、観測を行ないたいケーシング９２に観測ボックス１２及び観測装置本体１４が挿入可能な大きさの穴を設けて観測口９６とすれば、本発明の高温室内観測装置１０を用いて室内９０Ａを観測することができる。したがって、電気集塵機９０において、観測口９６の形成に要する面積を最小限に抑えることができるので、電気集塵機９０の高温雰囲気に影響を及ぼすことなく室内９０Ａを観測できるとともに、観測口９６の形成に要するコストを低減できる。
【００５４】
高温室内観測装置１０では、各外側ギア３０ａ，３０ａ…及び各内側ギア３０ｂ，３０ｂ…にチェーン４０，４０…が懸け渡されているため、操作盤１８に設置された上下操作レバー３８及び左右操作レバー３６を操作することにより、観測ボックス１２を上下左右に動かすことができるようにしたが、特に限定するものではない。ＣＣＤカメラ２２及びライト２４，２４を上下左右方向に動かすことができる雲台に設置して、操作盤１８の操作で雲台の動力源であるモータを駆動させるようにしてもよい。また、チェーン４０として、外側ギア３０ａ，３０ａ…及び内側ギア３０ｂ，３０ｂ…の回転に使用される箇所のみをチェーン４０で構成して、その他の箇所をワイヤーで連結してもよい。
【図面の簡単な説明】
【００５５】
【図１】本発明の実施の形態である高温室内観測装置の構成を示した斜視図
【図２】本発明の実施の形態である高温室内観測装置の操作盤を外側方向から見た正面図
【図３】本発明の実施の形態である高温室内観測装置を用いて電気集塵機の室内を観測する作業を説明する説明図
【図４】本発明の実施の形態である高温室内観測装置における冷却効果を調査したグラフ
【図５】本発明の高温室内観測装置の観測ボックス内における外気の流れを示した側面断面図
【図６】本発明の高温室内観測装置の長さ調整機構を説明する説明図
【符号の説明】
【００５６】
１０…高温室内観測装置、１２…観測ボックス、１４…観測装置本体、１４ａ…前部観測装置本体、１４ｂ…後部観測装置本体、１６…遮蔽蓋、１８…操作盤、２０…モニタ、２１…カメラコントローラ、２２…ＣＣＤカメラ、２４…ライト、２６…上下方向回転軸、２８…左右方向回転軸、３０ａ…外側ギア、３０ｂ…内側ギア、３２…支持部、３４…把手、３６…左右操作レバー、３８…上下操作レバー、４０…チェーン、４２…ケーブル、４４…開口部、４６…窓部材、４８…コック、５０…可撓性フード、５０ａ…開口部、５２…分割部材、９０…電気集塵機、９２…ケーシング、９４…排気口、９６…観測口、９８…集塵板、１００…放電枠
【図１】
2005331207.tif 000003
【図２】
2005331207.tif 000004
【図３】
2005331207.tif 000005
【図４】
2005331207.tif 000006
【図５】
2005331207.tif 000007
【図６】
2005331207.tif 000008